(57)【要約】【課題】絶縁不良によるリークが発生しない製品を低コストで提供する。【解決手段】外周に２次電線ｗが巻回される軸筒１１と、軸筒１１の外周に設けられ、外周から内向きに２次電線ｗが通る渡り溝１３を有し、軸筒１１の外周に巻回される２次電線ｗを軸方向の前後の巻回層Ａ，Ｂに区画する中間鍔１２とを備え、閉磁路鉄心の直線部４が内周を貫通する１次コイル１の外に同心状に嵌合し、閉磁路鉄心及び１次コイル１と共に絶縁ケース６中に収容され、絶縁ケース６中に注型された絶縁樹脂の固化層７中に埋没、固定される点火コイル用分割巻き型２次コイル２において、中間鍔１２の軸方向の両面に、この中間鍔１２によって軸方向に区画される前後の巻回層Ａ，Ｂの、渡り溝１３での軸方向の間隔を中間鍔１２の厚さよりも広く維持する肥厚部１４を設ける。【選択図】    図１
2005005492.tif 000002
【特許請求の範囲】
【請求項１】
外周に２次電線が巻回される軸筒と、上記軸筒の外周に設けられ、外周から内向きに上記２次電線が通る渡り溝を有し、前記軸筒の外周に巻回される２次電線を軸方向の前後の巻回層に区画する中間鍔とを備え、閉磁路鉄心の直線部が内周を貫通する１次コイルの外に同心状に嵌合し、上記閉磁路鉄心及び１次コイルと共に絶縁ケース中に収容され、上記絶縁ケース中に注型された絶縁樹脂の固化層中に埋没、固定される点火コイル用分割巻き型２次コイルにおいて、
上記中間鍔の軸方向の両面に、この中間鍔によって軸方向に区画される前後の巻回層の、渡り溝での軸方向の間隔を中間鍔の厚さよりも広く維持する間隔維持手段を設けた、
ことを特徴とする点火コイル用分割巻き型２次コイル。
【請求項２】
請求項１に記載の点火コイル用分割巻き型２次コイルにおいて、
中間鍔の渡り溝は軸筒に対して接線方向に形成され、
間隔維持手段は上記渡り溝の縁に沿い、中間鍔の両面に肉厚部として設けてある、
ことを特徴とする点火コイル用分割巻き型２次コイル。
【発明の詳細な説明】
【０００１】
【発明の属する技術分野】
本発明は、閉磁路鉄心の直線部が内周を貫通する１次コイルの外に同心状に嵌合し、上記閉磁路鉄心及び１次コイルと共に絶縁ケース中に収容され、上記絶縁ケース中に注型された絶縁樹脂の固化層中に埋没、固定される点火コイル用分割巻き型２次コイルに関する。
【０００２】
【従来の技術】
このような点火コイル用分割巻き型２次コイルは、外周に２次電線が巻回される軸筒と、上記軸筒の外周に設けられ、外周から内向きに上記２次電線を通す渡り溝を有し、前記軸筒の外周に巻回される２次電線を軸方向の前後の巻回層に区画する中間鍔とを備えている（例えば、特許文献１参照。）。
【０００３】
【特許文献１】
特開平７−７４０３５号公報
【０００４】
【発明が解決しようとする課題】
従来の点火コイル用分割巻き型２次コイルでは、図５（Ａ），（Ｂ）に示すように、軸筒１１の外周の、中間鍔１２の手前に巻回された２次電線ｗの手前の巻回層Ａと、中間鍔１２の背後に巻回された巻回層Ｂとは、巻回層Ａから巻回層Ｂに２次電線ｗを導くために中間鍔１２に設けられた渡り溝１３の空間部で互いの方向（矢印ａ及び矢印ｂ参照）に膨らみ出し、巻回層Ａと巻回層Ｂとの間の絶縁間隔ｓは中間鍔１２の厚さｔより小になる。絶縁間隔ｓが所定の値より小さくなると、絶縁不良によるリークが発生し、製品は不良になるので、絶縁間隔ｓを所定に保つには中間鍔１２の肉厚を大にする必要があり、それによって２次コイルのボビンは大形化し、これに伴い点火コイルも大型になって点火コイルの小型化が図れない。
【０００５】
【課題を解決するための手段】
本発明は上述した課題を解消するために開発されたもので、外周に２次電線が巻回される軸筒と、上記軸筒の外周に設けられ、外周から内向きに上記２次電線が通る渡り溝を有し、前記軸筒の外周に巻回される２次電線を軸方向の前後の巻回層に区画する中間鍔とを備え、閉磁路鉄心の直線部が内周を貫通する１次コイルの外に同心状に嵌合し、上記閉磁路鉄心及び１次コイルと共に絶縁ケース中に収容され、上記絶縁ケース中に注型された絶縁樹脂の固化層中に埋没、固定される点火コイル用分割巻き型２次コイルにおいて、上記中間鍔の軸方向の両面に、この中間鍔によって軸方向に区画される前後の巻回層の、渡り溝での軸方向の間隔を中間鍔の厚さよりも広く維持する間隔維持手段を設けたことを特徴とする。この場合、中間鍔の渡り溝は軸筒に対して接線方向に形成され、間隔維持手段は上記渡り溝の縁に沿い、中間鍔の両面に肉厚部として設けてあることが好ましい。
【０００６】
【発明の実施の形態】
図４は分割巻き型２次コイルが点火コイルに使用されている状態を示す説明図で、上記２次コイル２は１次コイル１の外に同心状に嵌合している。３は上記１次、２次コイル１，２の外を囲む環状鉄心、４は上記環状鉄心３が囲む内周に直径方向に配置された直線鉄心で、両鉄心３，４は閉磁路鉄心を構成する。
【０００７】
上記閉磁路鉄心の直線鉄心４は同心状に嵌合した１次、２次コイル１，２の内側の１次コイル１の内周を貫通し、コイル−鉄心組立体を構成する。このコイル−鉄心組立体は合成樹脂で成形された絶縁ケース６の内部に収納され、絶縁ケース６内に注型された絶縁樹脂の固化層７中に固定される。上記絶縁ケース６のコイル−鉄心組立体を収容、固定した部分からは下向きに高圧筒が突出し、この高圧筒内には、内燃機関、例えば自動車のエンジンに設けられた点火プラグに高電圧を供給して火花放電を生じさせるための高圧端子５が保持されている。
【０００８】
図１〜図３は本発明の分割巻き型２次コイルの一実施例の要部を示すもので、図中、１１，１２，１３は前述した従来技術で述べたと同様に軸筒、中間鍔、渡り溝を示す。渡り溝１３は軸筒１１に対して接線方向をなすように中間鍔１２に設けられ、中間鍔１２の手前で軸筒１１の外周に巻回されて手前の巻回層Ａを構成した２次電線ｗは渡り溝１３中を通って中間鍔１２の背後に達し、そこで軸筒１１の外周に巻回されて背後の巻回層Ｂを構成する。
【０００９】
２次電線ｗを、渡り溝１３を通して軸筒１１に巻回するとき、巻き始めの２次電線ｗが軸筒１１に沿った形で巻回されない場合、巻弛みや巻乱れの原因となるが、渡り溝１３を軸筒１１の接線方向に設けることにより、巻き始めの２次電線ｗを軸筒１１に確実に沿わせることができ、巻弛みや巻乱れを防止することができる。
【００１０】
中間鍔１２の軸方向の両面には、図２（Ａ），（Ｂ）に示したように渡り溝１３の縁に沿って肥厚部（間隔維持手段）１４，１４が設けてある。従って、中間鍔１２の両面に沿って前後の巻回層Ａ，Ｂを構成すると、各巻回層Ａ，Ｂの肥厚部１４，１４に接触した部分は肥厚部１４，１４で離される。
【００１１】
各巻回層Ａ，Ｂが肥厚部１４，１４で相手の巻回層Ｂ，Ａから離される程度は中間鍔１２の各片面から肥厚する肥厚部１４の厚さによって定まるので、肥厚部１４，１４の厚さを適切に定めることにより、中間鍔１２全体の厚さを厚くすることなく前後の巻回層Ａと巻回層Ｂの、渡り溝１３での軸方向の間隔を中間鍔１２の厚さよりも広く維持できる。
【００１２】
【発明の効果】
以上で明らかなように、中間鍔の両面に設けた肥厚部は、前後の巻回層の、渡り溝で軸方向の間隔を中間鍔の厚さよりも広く維持する間隔維持手段になって、絶縁間隔を必要なだけ保つ。従って、絶縁不良によるリークが発生しない製品を低コストで提供できる。
【図面の簡単な説明】
【図１】本発明による点火コイル用分割巻き型２次コイルの要部の正面図である。
【図２】（Ａ）は図１のＡ−Ａ線での断面図、（Ｂ）は図１のＢ−Ｂ線での断面図である。
【図３】図１の２次電線を巻回しない状態の一部を省略した正面図である。
【図４】（Ａ）は点火コイルの概略縦断面図、（Ｂ）は同上の絶縁樹脂注型前の断面図である。
【図５】（Ａ）は従来の２次コイルの要部の正面図、（Ｂ）は同上の拡大図である。
【符号の説明】
１      １次コイル
２      ２次コイル
３      閉磁路鉄心の環状鉄心
４      閉磁路鉄心の直線鉄心
５      高圧端子
６      絶縁ケース
７      絶縁樹脂の固化層
１１    ２次コイルの軸筒
１２    ２次コイルの中間鍔
１３    渡り溝
１４    肥厚部（間隔維持手段）
Ａ，Ｂ  巻回層
ｗ      ２次電線
ｓ      絶縁間隔
ｔ      中間鍔の厚さ
【図１】
2005005492.tif 000003
【図２】
2005005492.tif 000004
【図３】
2005005492.tif 000005
【図４】
2005005492.tif 000006
【図５】
2005005492.tif 000007